(57)【特許請求の範囲】
【請求項１】
外箱内に外槽を揺動自在に吊支し、該外槽内に、底部に回転翼を備えた洗濯兼脱水槽を回転自在に配設し、外箱の上部に洗濯兼脱水槽への衣類投入口を持つトップカバーで覆い、衣類投入口を開閉するように蓋を設け、脱水運転中は蓋を開放不能にロックする
洗濯機の蓋ロック装置において、蓋ロック装置は、先端を蓋係止部とし、中間部に永久磁石を固着したスライダーと、スライダーを係止位置と解除位置とに移動させるヨークを備えた電磁石とで構成し、これらを直角位置に配置することを特徴とする洗濯機の蓋ロック装置。
【請求項２】
前記スライダーは電磁石への正逆通電により移動し、電磁石への通電を遮断した後、スライダーに固着の永久磁石が電磁石のヨークに吸着されて蓋の係止または解除位置に係止されることを特徴とする請求項１記載の洗濯機の蓋ロック装置。
【発明の詳細な説明】
【０００１】
【発明の属する技術分野】
本発明は、洗濯機の蓋ロック装置に関するものである。
【０００２】
【従来の技術】
全自動一槽式の洗濯機は、例えば図８に示すように、外箱１内に外槽を搖動自在に吊支し、該外槽内に、底部に回転翼２を備えた洗濯兼脱水槽３を回転自在に配設し、外箱１の上部開口の周囲部分をトップカバー４で覆い、洗濯兼脱水槽３の上方の開口を蓋５で開閉自在に閉塞している。図中６は給水弁、７はトップカバー４の前部に配設され運転内容などを設定する設定ボタンなどを配設した操作パネルを示す。
【０００３】
前記蓋５は、洗濯機と衣類乾燥機が一体に使用され、しかもその際、洗濯機の上方に衣類乾燥機が設置されることが多いことから、蓋５は高さを低くすることが要求され、蓋後５ａと蓋前５ｂとの前後に２分割し、中央部のヒンジ部により中折れする構造となっており、蓋前５ｂの後部に開閉操作を行うための取手２５を取り付けてある。
【０００４】
かかる構造の洗濯機において、給水、洗い、すすぎ、脱水の全行程は自動的に進行するが、脱水行程では、洗濯物の水分を遠心力で飛ばすために、洗濯兼脱水槽３が高速回転する。このため、脱水運転中は、蓋５を閉じ、しかも蓋５が容易に開かないようにする必要がある。
【０００５】
そのための構造として、図９に示すように蓋５の開閉を検出する蓋スイッチ２１と蓋ロック装置２４を例えば蓋前５ｂの操作パネル７の側に設け、蓋スイッチ２１からの蓋閉信号が周知のマイクロコンピュータによる運転制御部に出力され蓋５が閉じたことが確認されてから、脱水運転を開始し、また、脱水運転中は蓋ロック装置２４により蓋５が開かないようにしている。
【０００６】
この蓋ロック装置２４は、機械的構造で、例えば係止爪２４ａと係止凹部２４ｂとの組合せにより構成し、蓋５の側に一体に形成した係止凹部２４ｂに、操作パネル７の側に形成した係止爪２４ａが係止する。
【０００７】
【発明が解決しようとする課題】
このような機械的構造の蓋ロック装置２４は、蓋を確実に開かないようにするためには、複雑な構造となる。そして、構造が複雑になるということは信頼性にも影響を及ぼすことにもなる。
【０００８】
本発明の目的は前記従来例の不都合を解消し、複雑なメカを使用せずに、電気的な簡単な構造で、しかも確実に蓋をロックでき信頼性を向上できるとともに製造コストの低減を図ることのできる洗濯機の蓋ロック装置を提供することにある。
【０００９】
【課題を解決するための手段】
本発明は前記目的を達成するため、第１に、外箱内に外槽を揺動自在に吊支し、該外槽内に、底部に回転翼を備えた洗濯兼脱水槽を回転自在に配設し、外箱の上部に洗濯兼脱水槽への衣類投入口を持つトップカバーで覆い、衣類投入口を開閉するように蓋を設け、脱水運転中は蓋を開放不能にロックする洗濯機の蓋ロック装置において、蓋ロック装置は、先端を蓋係止部とし、中間部に永久磁石を固着したスライダーと、スライダーを係止位置と解除位置とに移動させるヨークを備えた電磁石とで構成し、これらを直角位置に配置することにより、スライダーは電磁石により形成される磁気回路によって係止位置と解除位置とに移動し、係止位置と解除位置に移動した後は、永久磁石が電磁石のヨークに吸着されてその位置に保持されるから、複雑な機械的構造とせずに、磁石の吸引力を利用して蓋をロックできる。
【００１０】
第２に、前記スライダーは電磁石への正逆通電により移動し、電磁石への通電を遮断した後、スライダーに固着の永久磁石が電磁石のヨークに吸着されて蓋の係止または解除位置に係止されるから、スライダーは係止位置または解除位置の方向に確実に移動し、そして、係止位置または解除位置に移動した後は、電磁石の非励磁状態で電磁石のヨークに吸引されてその位置に係止される。よって、脱水運転中は蓋を確実にロックし、脱水運転終了後の洗濯兼脱水槽の回転が停止したときは蓋ロックが解除され、蓋を自由に開閉できる。
【００１１】
さらに、脱水運転中に例えば洗濯機のコンセントが外れたり、停電が発生して電力の供給が絶たれたり、制御装置の制御機能失われても、ヨークの吸引力によってスライダーを係止位置に保持でき、脱水運転中の蓋ロック状態を維持できて安全を確保できる。
【００１２】
【発明の実施の形態】
以下、図面について本発明の実施の形態を詳細に説明する。図１は本発明の洗濯機の蓋ロック装置の実施の形態を示す平面図、図２は同上縦断正面図で、本発明の蓋ロック装置が配設される洗濯機の全体構成は図８に示した従来例と同様であるからここでの詳細な説明は省略する。
【００１３】
本発明の蓋ロック装置が配設される洗濯機では、図６の平面図に示すように蓋前５ｂの前部位置で操作パネル７と接する側に蓋５の開閉を検出する蓋スイッチ２１を設け、また、図６の平面図、図７の縦断正面図に示すように蓋前５ｂの側部後方位置でトップカバー４の下面に蓋ロック装置８を取付けネジで固定した。
【００１４】
蓋ロック装置８は、図１〜図３に示すように、基本構造としては、ヨークに固着した電磁コイル、スライダーに固着した永久磁石の組合せで構成され、コ字形のヨーク１０の底部の中央位置に取付けネジ１２で鉄心１１を縦方向に固定し、該鉄心１１の周囲に電磁コイル９を巻回する。
【００１５】
該ヨーク１０の両側壁部で、前記電磁コイル９の上面よりも上方に位置させて後述の非磁性体のスライダー１４のガイド孔１５を設け、該ガイド孔１５に、下面の中央に永久磁石１３を固着したスライダー１４の両端側を移動自在に挿入し、蓋前５ｂ側に位置するスライダー１４の端部を蓋係止部１４ａとした。
【００１６】
この場合、スライダー１４は断面コ字形に形成し、下面に形成される凹部を永久磁石１３の挿着部とするが、永久磁石１３はこの凹部に挿着された状態で下部をスライダー１４より下方に僅か突出させ突出部１３ａに形成しておく。
【００１７】
この状態で永久磁石１３は垂直に配置された電磁コイル９の上方に隙間を存して水平に配置され、両者は直角の位置に配置されることになる。また、永久磁石１３の移動位置で両端のＮ極またはＳ極が電磁コイル９の上部に対向する位置にくるように、永久磁石１３をスライダー１４に取り付ける。
【００１８】
一方、蓋前５ｂの側壁には前記スライダー１４の端部に形成した蓋係止部１４ａが挿入する係止孔１９を設けた。
【００１９】
図４は電磁コイル９の通電回路を示し、蓋スイッチ２１および、洗濯兼脱水槽３の回転検出部２０が接続された制御装置１７と、電磁コイル９とが商用電源１６に並列接続され、電磁コイル９に双方向性サイリスタ１８が直列接続される。
【００２０】
次に、脱水運転について本発明の蓋ロック装置の動作を説明する。洗濯行程が進行し、脱水行程に移行し、蓋５が閉じられて蓋スイッチ２１からの出力が制御装置１７に入力すると、制御装置１７からの出力により、蓋ロック装置８の電磁コイル９に通電される。このとき、制御装置１７は、図５（Ａ）の交流波形のプラス側だけを通電するように、双方向性サイリスタ１８のゲート回路にトリガー信号を送り、双方向性サイリスタ１８は図５（Ｂ）のような波形を電磁コイル９に供給する。
【００２１】
かかる波形の電流が電磁コイル９に供給されると、図２に示すように永久磁石１３のＮ極と対面する鉄心１１はＮ極に着磁され、また、永久磁石１３のＳ極側のヨーク１０が反対にＳ極に着磁されるので、磁極面は反発状態となり、スライダー１４は図２において左方向の矢印方向に移動を開始する。
【００２２】
そして、永久磁石１３の中央が鉄心１１の上方部にまで移動すると、今度は逆に吸引状態となるので、スライダー１４はさらに左矢印方向に移動して、図３に示すように先端の蓋係止部１４ａが蓋前５ｂに形成してある係止孔１９に挿入し蓋５がスライダー１４で係止される。
【００２３】
その後、制御装置１７のタイマーが動作してゲート信号が絶たれるので双方向性サイリスタ１８はオフし、電磁コイル９への通電が遮断され、スライダー１４に固着した永久磁石１３が蓋５側のヨーク１０に吸着されこの係止位置に固定される。
【００２４】
同時に脱水機構に通電して脱水運転が開始し、洗濯兼脱水槽３と回転翼２が高速回転する。この脱水運転中、コンセントが外れたり、停電が発生したり、また、制御装置１７の制御能力が失われるようなことがあっても、永久磁石１３は蓋５側のヨーク１０に吸着された状態を維持するから、蓋５の開閉はできず脱水運転中の安全を確保できる。この場合、永久磁石１３の突出部１３ａがヨーク１０に当接し、ストッパーとして機能しそれ以上の移動を阻止するから、永久磁石１３はこの吸着位置に保持される。
【００２５】
以上のようにして脱水行程が進行し、所定の時間に達すると、制御装置１７からの出力で脱水機構の運転を停止し、脱水運転を終了させる。このとき、脱水機構への通電は遮断されても、洗濯物の多く入っている洗濯兼脱水槽３は慣性で回転を続ける。よって、回転検出部２０でこの回転を検出し、洗濯兼脱水槽３が回転を停止したことを確認するまで図３に示す蓋係止状態を維持する。
【００２６】
その後、洗濯兼脱水槽３の回転停止が確認されれば、制御装置１７から電磁コイル９に、蓋係止時とは反対の図５（Ｃ）に示すような波形の逆電流を通電させる。これにより、スライダー１４に固着してある永久磁石１３と電磁コイル９との間には反発磁界が発生し、図３における右矢印方向にスライダー１４が移動して、蓋係止部１４ａが係止孔１９から抜け出て蓋５の係止が解除される。よって、取手２５による蓋５の開閉操作が可能となる。
【００２７】
このようにして再び図２の状態となり、この状態で電磁コイル９への通電を停止しても、永久磁石１３の図２において右側の突出部１３ａがヨーク１０に吸着されるから、この状態を維持し外部からの衝撃などがあってもスライダー１４が移動することはない。
【００２８】
【発明の効果】
以上述べたように本発明の洗濯機の蓋ロック装置は、第１に、外箱内に外槽を揺動自在に吊支し、該外槽内に、底部に回転翼を備えた洗濯兼脱水槽を回転自在に配設し、外箱の上部に洗濯兼脱水槽への衣類投入口を持つトップカバーで覆い、衣類投入口を開閉するように蓋を設け、脱水運転中は蓋を開放不能にロックする洗濯機の蓋ロック装置において、蓋ロック装置は、先端を蓋係止部とし、中間部に永久磁石を固着したスライダーと、スライダーを係止位置と解除位置とに移動させるヨークを備えた電磁石とで構成し、これらを直角位置に配置することにより、スライダーは電磁石により形成される磁気回路によって係止位置と解除位置とに移動し、係止位置と解除位置に移動した後は、永久磁石が電磁石のヨークに吸着されてその位置に保持されるから、複雑な機械的構造とせずに、磁石の吸引力を利用して蓋をロックできる。
【００２９】
第２に、前記スライダーは電磁石への正逆通電により移動し、電磁石への通電を遮断した後、スライダーに固着の永久磁石が電磁石のヨークに吸着されて蓋の係止または解除位置に係止されるから、スライダーは係止位置または解除位置の方向に確実に移動し、そして、係止位置または解除位置に移動した後は、電磁石の非励磁状態で電磁石のヨークに吸引されてその位置に係止される。よって、脱水運転中は蓋を確実にロックし、脱水運転終了後の洗濯兼脱水槽の回転が停止したときは蓋ロックが解除され、蓋を自由に開閉できる。
【００３０】
さらに、脱水運転中に例えば洗濯機のコンセントが外れたり、停電が発生して電力の供給が絶たれたり、制御装置の制御機能が失われても、ヨークの吸引力によってスライダーを係止位置に保持でき、脱水運転中の蓋ロック状態を維持できて安全を確保できる。
【図面の簡単な説明】
【図１】  本発明の洗濯機の蓋ロック装置の実施形態を示す平面図である。
【図２】    本発明の洗濯機の蓋ロック装置の実施形態を示す解除状態の縦断正面図である。
【図３】  本発明の洗濯機の蓋ロック装置の実施形態を示すロック状態の縦断正面図である。
【図４】  本発明の蓋ロック装置の電磁コイルへの通電回路図である。
【図５】  本発明の蓋ロック装置の電磁コイルへ通電する電流の波形図である。
【図６】  本発明の蓋ロック装置を設けた洗濯機の平面図である。
【図７】  本発明の蓋ロック装置を設けた洗濯機の一部切欠いた正面図である。
【図８】  洗濯機の斜視図である。
【図９】  従来の蓋ロック装置を設けた洗濯機の平面図である。
【符号の説明】
１…外箱              ２…回転翼            ３…洗濯兼脱水槽
４…トップカバー      ５…蓋                ５ａ…蓋後
５ｂ…蓋前            ６…給水弁            ７…操作パネル
８…蓋ロック装置      ９…電磁コイル        １０…ヨーク
１１…鉄心            １２…取付けネジ      １３…永久磁石
１３ａ…突出部        １４…スライダー      １４ａ…蓋係止部
１５…ガイド孔        １６…商用電源        １７…制御装置
１８…双方向性サイリスタ                    １９…係止孔
２０…回転検出部      ２１…蓋スイッチ      ２４…蓋ロック装置
２５…取手            ２４ａ…係止爪        ２４ｂ…係止凹部
【図１】
0003967600.tif 000002
【図２】
0003967600.tif 000003
【図３】
0003967600.tif 000004
【図４】
0003967600.tif 000005
【図５】
0003967600.tif 000006
【図６】
0003967600.tif 000007
【図７】
0003967600.tif 000008
【図８】
0003967600.tif 000009
【図９】
0003967600.tif 000010